(57)【要約】【課題】Ｍｉｃｒｏ ＳＤメモリーカードおよびＭＭＣ ｍｉｃｒｏメモリーカードを共用できる設計を行い、二種のメモリーカードに共通し、連結使用することが可能な機能を備えたコネクタを提供する。【解決手段】回路基板２０に設置され、その左右アーム１１、１２の間がカード挿入スペースである台座１０であって、カード挿入スペース内部に第１ガイド片３１および検知片３２を嵌設し、さらに検知片３２に嵌設する接触片３３を装備し、且つ左部アーム１１内縁部に第１位置決め面１１１を形成し、なお且つ別にＭＭＣ ｍｉｃｒｏメモリーカード４０に対応してカード挿入スペース外部に第２ガイド片４１を嵌設し、左アーム１１内縁中段に第２位置決め面１１２を形成する台座１０と、台座１０の上方で係止するカバー５０とを含む。【選択図】図１
0003121025.tif 000002
【実用新案登録請求の範囲】
【請求項１】
左右アームの間がカード挿入スペースであり、Ｍｉｃｒｏ ＳＤメモリーカードに対応してカード挿入スペース内部に第１ガイド片を嵌設し、左部アーム内縁部に第１位置決め面を形成する台座であり、別にＭＭＣ ｍｉｃｒｏメモリーカードに対応してカード挿入スペース外部に第２ガイド片を嵌設し、左部アーム内縁中段に第２位置決め面を形成する台座と、
前記台座の上方に組み合わさるカバーと、
を備えることを特徴とする両用型メモリーカード用コネクタ。
【請求項２】
前記台座はカード挿入スペース内部に検知片を嵌設し、該検知片に組み合わせて接触片を嵌設することを特徴とする請求項１に記載の両用型メモリーカード用コネクタ。
【請求項３】
前記台座の外周縁に組み合わせのために用いる複数の係止片を形成し、
前記カバーは前記台座の複数の係合片に対応する複数の係止片を設け、且つその周縁にグランド接触片を形成することを特徴とする請求項１または２に記載の両用型メモリーカード用コネクタ。
【考案の詳細な説明】
【技術分野】
【０００１】
本考案は両用型メモリーカード用コネクタに関し、特にＭｉｃｒｏ ＳＤメモリーカードとＭＭＣ Ｍｉｃｒｏメモリーカードに共通し、連結使用可能な設計の両用型メモリーカード用コネクタに関する。
【背景技術】
【０００２】
メモリーカードは「軽量、薄型、ショートサイズ」の概念へと向かって発展変化を遂げており、これらの概念によりデジタル製品はより大きな発展の余地を有することができる。そこで、３Ｇシステムの始動、および更なる良質のデジタルマルチメディア機能の要求に応じるため、１５ｍｍ×１１ｍｍ×１ｍｍサイズの爪の大きさほどのＭｉｃｒｏ ＳＤメモリーカードが登場し、２００５年上半期には新たにＭＭＣ４．Ｘ版のＭＭＣ Ｍｉｃｒｏメモリーカードが登場した。そのサイズは１２ｍｍ×１４ｍｍ×１．１ｍｍで、これもまた爪の大きさ並みであった。この二種のメモリーカードは各方式のデジタル製品の平台に運用されており、製品相当分のデザイン空間の節約と、強大な読み書き機能の他、さらに大量の映像、ムービー、音楽等を取り込むことができるものであった。
ここでいうまでもなく、前後の文中において「ＳＤ」としたものは全て「Secure Digital」の略称であり、「ＭＭＣ」とは「Multi Media Card」の略称である。
【考案の開示】
【考案が解決しようとする課題】
【０００３】
本考案の主な目的はＭｉｃｒｏ ＳＤメモリーカードおよびＭＭＣ ｍｉｃｒｏメモリーカードを共用できる設計を行い、二種のメモリーカードに共通し、連結使用することが可能な機能を備えたコネクタを提供することである。
【課題を解決するための手段】
【０００４】
上述の機能を達成するため、本考案の構造は以下の特徴を備える。
回路基板に設置され、その左右アームの間がカード挿入スペースである台座であって、カード挿入スペース内部に第１ガイド片および検知片を嵌設し、さらに前記検知片に嵌設する接触片を装備し、左部アーム内縁部に第１位置決め面を形成し、別にＭＭＣ ｍｉｃｒｏメモリーカードに対応してカード挿入スペース外部に第２ガイド片を嵌設し、左アーム内縁中段に第２位置決め面を形成する台座と、該台座の上方で係止するカバーとを備える。
【考案を実施するための最良の形態】
【０００５】
まず、図１及び図２を参照すると、本考案の一実施例による両用型メモリーカード用コネクタは以下を備える。
回路基板２０に設置され、その左右アーム１１、１２の間がカード挿入スペースである台座１０であって、Ｍｉｃｒｏ ＳＤメモリーカード３０に対応してカード挿入スペース内部に第１ガイド片３１および検知片３２を嵌設し、さらに前記検知片３２に組み合わせて接触片３３を嵌設し、左部アーム１１内縁部に第１位置決め面１１１を形成し、別にＭＭＣ ｍｉｃｒｏメモリーカード４０に対応してカード挿入スペース外部に第２ガイド片４１を嵌設し、左アーム内縁中段に第２位置決め面１１２を形成する台座１０と、このほか該台座１０の外周縁に形成され、組立てのために用いられる複数の係合片１３と、前記台座１０の複数の係合片１３に対応するように設けられた複数の係止片５１と、周縁にグランド接触片５２を形成し、前記台座１０の上方に組合わさるカバー５０とを備える。
【０００６】
このような構成に基づき再度図３を参照すると、Ｍｉｃｒｏ ＳＤメモリーカード３０が台座１０に挿置される時、左前端は左部アーム１１の第１位置決め面１１１に押し当るように近づき、その右側後段は右部アーム１２の内縁に接近する。また、その右側前段は前記検知片３２の方向へと推移し、前記接触片３３に押し当たり、Ｍｉｃｒｏ ＳＤメモリーカード３０が既に挿入されたという情報を送出する。即ち、第1ガイド片３１を経由し、データを発信することが出来る。
【０００７】
さらに、図４が示すように、ＭＭＣ ｍｉｃｒｏメモリーカード４０が台座１０に挿置される時、その左前端は左部アーム１１の第２位置決め面１１２に押し当るように近づき、その右側は右部アーム１２の内縁に接近する。そして第２ガイド片４１を経由し、データを発信することが出来る。こうして、本実施例の両用型メモリーカード用コネクタは二種のメモリーカードに共通し、連結して使用することが可能な機能を有する。
【０００８】
上述の通り、本考案が明らかにした構造は従来無かったものであり、期待された効果を確実に達成することができるものである。そして、産業上の利用性を備え、実用新案登録の要件を完全に満たすものであるといえる。ゆえに、このたび特許を授与されるに至れば感謝に堪えない。
上記で公開した図面、説明は本考案のより好ましい実施の形態のみのためであり、およそ本分野を熟知した技術者が本考案の主旨範疇に基づき行われた修飾、または得られた効果は本考案の申請の範囲内に含まれるべきである。
【図面の簡単な説明】
【０００９】
【図１】本考案の一実施例による両用型メモリーカード用コネクタの分解斜視図である。
【図２】本考案の一実施例による両用型メモリーカード用コネクタの斜視図である。
【図３Ａ】本考案の一実施例による両用型メモリーカード用コネクタにＭｉｃｒｏ ＳＤメモリーカードを挿置した状態（カバーは表示せず）を示す上面図である。
【図３Ｂ】本考案の一実施例による両用型メモリーカード用コネクタにＭｉｃｒｏ ＳＤメモリーカードを挿置した状態を示す上面図である。
【図３Ｃ】図３Ｂの３Ｃ‐３Ｃ線に沿った断面図である。
【図４Ａ】本考案の一実施例による両用型メモリーカード用コネクタにＭＭＣ ｍｉｃｒｏメモリーカードを挿置した状態（カバーは表示せず）を示す上面図である。
【図４Ｂ】本考案の一実施例による両用型メモリーカード用コネクタにＭＭＣ ｍｉｃｒｏメモリーカードを挿置した状態を示す上面図である。
【図４Ｃ】図４Ｂ中の４Ｃ‐４Ｃ線に沿った断面図である。
【符号の説明】
【００１０】
１０  台座、１１  左部アーム、１１１  第１位置決め面、１１２  第２位置決め面、１２  右部アーム、１３  係合片、２０  回路基板、３０  Ｍｉｃｒｏ ＳＤメモリーカード、３１  第１ガイド片、３２  検知片、３３  接触片、４０  ＭＭＣ ｍｉｃｒｏメモリーカード、４１  第２ガイド片、５０  カバー、５１  係止片、５２  グランド接触片
【図１】
0003121025.tif 000003
【図２】
0003121025.tif 000004
【図３Ａ】
0003121025.tif 000005
【図３Ｂ】
0003121025.tif 000006
【図３Ｃ】
0003121025.tif 000007
【図４Ａ】
0003121025.tif 000008
【図４Ｂ】
0003121025.tif 000009
【図４Ｃ】
0003121025.tif 000010